(57)【要約】【課題】インバータ回路とそのコントロールＩＣなどの高価な駆動回路を削減することで駆動回路装置の低価格化、小形化を実現し、洗濯乾燥機のコストダウン、コンパクト化、さらには信頼性の向上を図る。【解決手段】洗濯槽内に送風する送風機２１と、外部の水を洗濯槽に給水する吸水ポンプ３０と、洗濯槽の水を洗濯機内部で循環させる循環ポンプとを内蔵する洗濯乾燥機１において、前記送風機２１と前記吸水ポンプ３０の２個のモータ５１、５２が１つの駆動回路（インバータ回路）５４を共用し、かつ、前記駆動回路５４の出力を１つのモータに出力する切替手段５３を備えたことを特徴とする。【選択図】　図２
2004065691.tif 000002
【特許請求の範囲】
【請求項１】
洗濯槽内に送風する送風機と、外部の水を洗濯槽に給水する吸水ポンプと、洗濯槽の水を洗濯機内部で循環させる循環ポンプとを内蔵する洗濯乾燥機において、
前記送風機と前記ポンプの複数のモータが１つの駆動回路を共用し、かつ、
前記駆動回路の出力を１つのモータに出力する切替手段を備えた
ことを特徴とする洗濯乾燥機。
【請求項２】
前記送風機のモータと前記吸水ポンプのモータとが１つの駆動回路を共用し、かつ、前記駆動回路の出力を前記送風機のモータ或いは前記吸水ポンプのモータの一方に出力する切替手段を備えた
ことを特徴とする請求項１に記載の洗濯乾燥機。
【請求項３】
前記送風機のモータと前記循環ポンプのモータとが１つの駆動回路を共用し、かつ、前記駆動回路の出力を前記送風機のモータ或いは前記循環ポンプのモータの一方に出力する切替手段を備えた
ことを特徴とする請求項１に記載の洗濯乾燥機。
【請求項４】
前記洗濯乾燥機の洗濯動作に従って、前記洗濯乾燥機の主制御回路からの信号に基づき前記モータの１つに前記駆動回路から出力される
ことを特徴とする請求項１〜３のいずれかに記載の洗濯乾燥機。
【請求項５】
前記送風機及び前記ポンプのモータがブラシレス直流モータである
ことを特徴とする請求項１〜４のいずれかに記載の洗濯乾燥機。
【請求項６】
前記駆動回路が、インバータ回路からなる
ことを特徴とする請求項１〜５のいずれかに記載の洗濯乾燥機。
【請求項７】
前記駆動回路が、センサレス駆動型回路からなる
ことを特徴とする請求項１〜６のいずれかに記載の洗濯乾燥機。
【発明の詳細な説明】
【０００１】
【発明の属する技術分野】
本発明は、洗濯槽内に温風を送風して洗濯物を乾燥させる乾燥機能を有し、洗濯から乾燥までの洗濯工程を一連して行う洗濯乾燥機に関する。
【０００２】
【従来の技術】
従来、洗濯槽内に温風を送風して洗濯物を乾燥させる乾燥装置を内蔵する洗濯乾燥機は、洗濯機内に乾燥用送風機を設け、ヒータにより加熱された温風を洗濯槽内に送風し、洗濯槽内で撹拌される洗濯物に温風を通過させて乾燥させ、洗濯機内を循環する循環経路を通じて温風を再び送風機へ循環するものである。
【０００３】
この洗濯乾燥機には、風呂水等の外部の水を利用して洗濯するための吸水ポンプが内蔵し、風呂水等の吸水ホースと洗濯槽内への給水経路が設けられ、また、洗濯中に洗濯槽内の洗濯水を洗濯機内で循環させながら洗濯やすすぎを行うための循環ポンプが内蔵されたものが一般的に普及している。
【０００４】
また、洗濯乾燥機は、マイクロコンピュータを中心とする主制御回路を有し、洗濯機モータ、乾燥用送風機、吸水ポンプや循環ポンプのモータの駆動制御を始めとし、給水弁や排水弁の作動、水位の調整等を制御して、洗濯から乾燥までの一連の洗濯工程を逐次自動制御している。
【０００５】
上記の従来の洗濯乾燥機では、乾燥用送風機、吸水ポンプ及び循環ポンプの各々のモータが個別の駆動回路として、例えばインバータ回路を有し、各モータがそれぞれのインバータ回路により駆動する構成としていた。
【０００６】
【発明が解決しようとする課題】
このような従来の洗濯乾燥機では、乾燥用送風機のモータと吸水用ポンプのモータ或いは循環用ポンプのモータを駆動するインバータ回路がそれぞれ別系統に分けられていたので、従来は図３の駆動回路６のブロック図に示すように、乾燥用送風機やポンプの個々のモータ５５が、インバータ回路５４とそれを駆動する回転子位置検出回路５６、ＰＷＭ回路５７や論理回路５８を有する高価なコントロールＩＣ５９をそれぞれ必要としていた。このため、インバータ回路５４やそのコントロールＩＣ５９のコストとその設置スペースを要し、洗濯乾燥機のコストアップの要因となり、また洗濯乾燥機のコンパクト化の障害にもなっていた。
【０００７】
本発明は、上記洗濯乾燥機では、洗濯工程で用いられる風呂水吸水ポンプ或いは循環ポンプと乾燥工程で用いられる乾燥用送風機とが、通常の洗濯作業では同時に運転されることがないことに着目しなされたもので、乾燥用送風機のモータとポンプ用モータ等の複数のモータが１つの駆動回路を共用し、切替回路によって所定のモータに出力し乾燥用送風機とポンプ用モータを駆動させることで、インバータ回路とそのコントロールＩＣなどの高価な駆動回路を削減し、駆動回路装置の低価格化、小形化を実現し、洗濯乾燥機のコストダウン、コンパクト化、さらには信頼性の向上を図るものである。
【０００８】
【課題を解決するための手段】
請求項１の発明は、洗濯槽内に送風する送風機と、外部の水を洗濯槽に給水する吸水ポンプと、洗濯槽の水を洗濯機内部で循環させる循環ポンプとを内蔵する洗濯乾燥機において、前記送風機と前記ポンプの複数のモータが１つの駆動回路を共用し、かつ、前記駆動回路の出力を１つのモータに出力する切替手段を備えたことを特徴とする洗濯乾燥機である。
【０００９】
この発明の洗濯乾燥機によれば、１つの駆動回路とその出力の切替手段により、洗濯乾燥機に内蔵された乾燥用送風機と吸水ポンプと循環ポンプを駆動することができ、駆動回路数を削減して回路装置の低価格化と小形化を実現し、また安価なリレースイッチ等の切替手段が利用でき、洗濯乾燥機のコストダウンとコンパクト化が可能なり、また駆動回路数を減らして信頼性の向上が図られる。
【００１０】
請求項２の発明は、前記送風機のモータと前記吸水ポンプのモータとが１つの駆動回路を共用し、かつ、前記駆動回路の出力を前記送風機のモータ或いは前記吸水ポンプのモータの一方に出力する切替手段を備えたことを特徴とする請求項１に記載の洗濯乾燥機である。
【００１１】
この発明の洗濯乾燥機によれば、１つの駆動回路とその切替手段により、乾燥用送風機或いは吸水ポンプの一方を駆動することができる。
【００１２】
請求項３の発明は、前記送風機のモータと前記循環ポンプのモータとが１つの駆動回路を共用し、かつ、前記駆動回路の出力を前記送風機のモータ或いは前記循環ポンプのモータの一方に出力する切替手段を備えたことを特徴とする請求項１に記載の洗濯乾燥機である。
【００１３】
この発明の洗濯乾燥機によれば、１つの駆動回路とその切替手段により、乾燥用送風機或いは循環ポンプの一方を駆動することができる。
【００１４】
請求項４の発明は、前記洗濯乾燥機の洗濯動作に従って、前記洗濯乾燥機の主制御回路からの信号に基づき前記モータの１つに前記駆動回路から出力されることを特徴とする請求項１〜３のいずれかに記載の洗濯乾燥機である。
【００１５】
この発明の洗濯乾燥機によれば、洗濯乾燥機の洗濯工程に従い、駆動回路からの出力先が洗濯乾燥機に搭載された主制御回路からの信号に基づき自動的に選択され、乾燥用送風機、吸水ポンプまたは循環ポンプのいずれか１つのモータに出力され駆動させ、信頼性の高い洗濯乾燥機の駆動制御を得ることができる。
【００１６】
請求項５の発明は、前記送風機及びポンプのモータがブラシレス直流モータであることを特徴とする請求項１〜４のいずれかに記載の洗濯乾燥機である。
【００１７】
この発明の洗濯乾燥機によれば、モータの回転制御が容易となり、モータがコンパクトになって、低騒音化、小形化、長寿命化が可能となる。
【００１８】
請求項６の発明は、前記駆動回路が、インバータ回路からなることを特徴とする請求項１〜５のいずれかに記載の洗濯乾燥機である。
【００１９】
この発明の洗濯乾燥機によれば、モータの回転制御が容易なり洗濯機の操作性の向上する低価格で信頼性の高い洗濯乾燥機の制御回路を得ることができる。
【００２０】
請求項７の発明は、前記駆動回路が、センサレス駆動型回路からなることを特徴とする請求項１〜６のいずれかに記載の洗濯乾燥機である。
【００２１】
この発明の洗濯乾燥機によれば、モータの回転子の位置を検出するための高価なホール素子などの回転子検出用センサが不要となり低コスト化が図られる。
【００２２】
【発明の実施の形態】
本発明の実施形態について、図面に基づき説明する。
【００２３】
図１は、実施形態の洗濯乾燥機１の構造を示す概略図である。
【００２４】
洗濯乾燥機１は、洗濯槽１０内の洗濯物２８を乾燥させる乾燥装置２を有し、また風呂水等の外部の水を吸水し洗濯槽１０に給水する吸水ポンプ３０と、洗濯槽１０の水を洗濯乾燥機１内部で循環させながら洗濯やすすぎを行う循環ポンプ３４を内蔵する洗濯乾燥機である。
【００２５】
洗濯乾燥機１は、筺体１１の内部に防振機構（図示せず）を備えた外槽１２を設け、外槽１２の内側には多数の小孔を周辺に設けた内槽１３とその底部に回転翼１４を回転自在に配し、外槽１２の下方に設けたモータ１５が減速機構を兼ねたクラッチ１６を介して内槽１３と回転翼１４に連結されている。また、水道水を給水する給水弁１８を備えた給水管１７と、洗濯水を機外に排出する排水弁２０を備えた排水管１９が外槽１２に接続されている。
【００２６】
乾燥装置２は、内槽１３内に収納された洗濯物２８を乾燥させるために内槽１３内に温風３を送風するもので、ヒータ２２により加熱された温風を乾燥用送風機２１により送風口２６から内槽１３内に送風し、内槽１３内を通過した温風は洗濯乾燥機１内を循環する循環経路２３とその途中に設けられた熱交換器２４を通り送風機２１に循環するように構成されている。
【００２７】
洗濯乾燥機１には、風呂水等の外部の水を利用して洗濯するための吸水ポンプ３０が内蔵され、浴槽等に投入する吸水孔３２を有する風呂水用吸水ホース３１を備え、吸水ポンプ３０から外槽１２内へ給水する風呂水用給水口３３が設けられている。
【００２８】
また、洗濯中に洗濯槽１０内の洗濯水を洗濯乾燥機１内で循環させながら洗濯やすすぎを行うための循環ポンプ３４が内蔵され、その循環経路３５が設けられている。
【００２９】
また、洗濯乾燥機１は、洗濯機全体の運転を制御するマイクロコンピュータを中心とした主制御回路３６を有し、洗濯機モータ１５、乾燥用送風機２１やヒータ２２等の乾燥装置２の作動、吸水ポンプ３０、循環ポンプ３４の運転を始めとし、給水弁１８や排水弁２０の作動や水位の調整等を制御して、洗濯乾燥機１の洗濯、すすぎ、脱水、乾燥の各洗濯工程を使用者の選択した洗濯コースに従って逐次自動制御している。
【００３０】
上記の洗濯乾燥機１では、乾燥用送風機２１のモータ、風呂水吸水ポンプ３０及び循環ポンプ３４の各モータに、ブラシレス直流モータが用いられ、このモータはインバータ回路からの出力により駆動制御されている。また、その駆動回路はセンサレス駆動型回路から構成されている。これにより、モータと駆動回路の小形化、高性能化、低騒音化等の高い信頼性を得ることができる。
【００３１】
上記洗濯乾燥機１による洗濯動作を説明する。洗濯工程では、内槽１３内に洗濯物２８及び洗剤を投入し洗濯乾燥機１の運転を開始すると、給水弁１８が開き水道水を給水し、また風呂水等を利用する場合は吸水ポンプ３０が運転し浴槽から吸水した水を外槽１２の所定水位まで給水する。そして、洗濯機モータ１５が運転を始め内槽１３及び回転翼１４を回転させ、洗濯物２８を水中で撹拌し所定時間の洗濯を行う。洗濯工程が終了すると、排水弁２０が開き洗濯槽１０内の水を排水し、再度水道水や外部の水を給水し、すすぎを行う。この洗濯、すすぎ工程では、循環ポンプ３４が運転され、洗濯槽１０内の水を洗濯乾燥機１内で循環させながら洗濯、すすぎを行うことができる。
【００３２】
脱水工程では、すすぎ終了後の水を排水した後、内槽１３を高速回転させて洗濯物２８に与えた遠心力により水分を分離し、内槽１３の周辺に設けた多数の小孔から外槽１２内に排水し排水弁２０から機外へ排水する。
【００３３】
乾燥工程では、乾燥装置２内に設けられたヒータ２２によって加熱された空気が乾燥用送風機２１により温風３となって送風口２６から内槽１３内部に送風され、同時に回転翼１４を瞬間的に正逆方向に回転させることで洗濯物２８を内槽１３内で跳ね上げるように撹拌させ、洗濯物２８に温風を通して暖めて水分を蒸発させ乾燥させる。湿気を含む温風は外槽１２から循環経路２３を通過し、途中に設けた熱交換部２５において冷却、除湿し、結露した水分を排水管１９から排水し、再び送風機２１へと循環する。
【００３４】
上記洗濯乾燥機１では、洗濯、すすぎ工程で用いられる風呂水吸水ポンプ３０及び循環ポンプ３４と、乾燥工程で用いられる乾燥用送風機２１が同時に運転されることがなく、それぞれのモータを駆動制御するインバータ回路とそのコントロールＩＣを共用し、リレースイッチなどの切替手段を用いて各洗濯工程において駆動すべきポンプ或いは送風機２１のモータにインバータ回路から出力するものである。
【００３５】
従って、洗濯乾燥機１では、乾燥用送風機２１のモータと吸水ポンプ３０或いは循環ポンプ３４のモータとの、２個のモータを制御するインバータ回路の共用化が可能となり、従来では個々のモータにそれぞれ設けられていたインバータ回路とそのコントロールＩＣなどの高価な駆動回路数を削減することができる。
【００３６】
以下に、１つのインバータ回路を共用する２個のモータを制御する駆動回路５について、乾燥用送風機２１のモータ５１と吸水ポンプ３０のモータ５２とを例として、図２に示す駆動回路５のブロック図を参照し説明する。
【００３７】
乾燥用送風機２１のモータ５１と風呂水吸水ポンプ３０のモータ５２は、３スロット２極のＩＰＭ（Ｉｎｔｅｒｉｏｒ　Ｐｅｒｍａｎｅｎｔ　Ｍａｇｎｅｔ）　型ブラシレス直流モータが用いられている。この２個のモータは２極のＩＰＭ型であるので、回転子の内部にＮ極とＳ極の永久磁石がそれぞれ内蔵されている。
【００３８】
２個のモータ５１、５２のＵ相、Ｖ相、Ｗ相の各コイルへ、切替回路５３を経て、駆動信号がインバータ回路５４から供給される。モータ５１、５２の駆動は、インバータ回路５４を構成する６個のスイッチングトランジスタを用い、モータのＹ結線された３相のコイルに双方向駆動電流を流して駆動するバイポーラ駆動を行う。バイポーラ駆動の方法としては、１２０°通電矩形波駆動法が挙げられる。このインバータ回路５４は直流電流Ｖｍで駆動する。
【００３９】
切替回路５３は、洗濯乾燥機１の主制御回路３６からの切替信号Ｖｋによって、乾燥用送風機２１のモータ５１または吸水ポンプ３０のモータ５２のどちらかに駆動電流が流れる配線をリレースイッチによって切り替えるものである。
【００４０】
２個のモータのうち、駆動している１個のモータの回転子の回転位置を検出するための回転子位置検出回路５６を有し、この回転子位置検出回路５６は、インバータ回路５４から切替回路５３に流れる駆動電流を検知して、その駆動電流から回転子の回転位置を検出し、位置検出信号をＰＷＭ回路５７へ出力する。
【００４１】
インバータ回路５４の各スイッチングトランジスタＴｒ１〜Ｔｒ６のゲート端子へゲート信号を送る論理回路５８が設けられ、この論理回路５８に対してＰＷＭ（パルス幅変調）信号を供給するＰＷＭ回路５７が設けられている。このＰＷＭ回路５７は、回転子位置検出回路５６からの位置検出信号と、洗濯乾燥機１の主制御回路３６からの速度指令信号Ｖｓに基づいて、ＰＷＭ信号を論理回路５８に出力する。
【００４２】
そして、回転子位置検出回路５６、ＰＷＭ回路５７、論理回路５８は１個のコントロールＩＣ５９に内蔵されている。
【００４３】
これにより、インバータ回路５４の出力は、洗濯乾燥機１の洗濯工程に従って主制御回路３６からの信号により自動的に出力先のモータを選択して出力し、乾燥用送風機２１又は吸水ポンプ３０を駆動することができ、個々のモータに専用の駆動回路が不要となる。
【００４４】
乾燥用送風機２１と循環ポンプ３４のモータを１つの駆動回路を共用し駆動する場合も、上記と同様の回路を用いて２個のモータを駆動することができる。また、洗濯乾燥機１内に上記した送風機やポンプ以外のモータが用いられている時も、同様の方法を採用できるのはもちろんのことである。
【００４５】
【発明の効果】
以上説明したように、本発明の洗濯乾燥機によれば、洗濯中に同時に駆動することのない複数のモータ、例えば、乾燥用送風機のモータと吸水ポンプ或いは循環ポンプのモータ等との２個のモータの駆動回路を共用化し切替手段によりその出力を切替えることにより、１つの駆動回路を用いて複数のモータを駆動することができる。これによって、インバータ回路やコントロールＩＣ等のモータの駆動回路数を削減することができ、駆動回路の低価格化、小形化を実現し、高信頼性を得ると共に、洗濯乾燥機のコストダウン、コンパクト化を図ることができる。
【図面の簡単な説明】
【図１】本発明の実施形態の洗濯乾燥機の構造概略図である。
【図２】本発明の実施形態の駆動回路のブロック図である。
【図３】従来例の駆動回路のブロック図である。
【符号の説明】
１……洗濯乾燥機
２……乾燥装置
３……温風
５……駆動回路
１０……洗濯槽
１２……外槽
１３……内槽
１４……回転翼
２１……乾燥用送風機
３０……吸水ポンプ
３４……循環ポンプ
３６……主制御回路
５１，５２……モータ
５３……切替回路
５４……インバータ回路
５６……回転子位置検出回路
５７……ＰＷＭ回路
５８……論理回路
５９……コントロールＩＣ
【図１】
2004065691.tif 000003
【図２】
2004065691.tif 000004
【図３】
2004065691.tif 000005